(57)【要約】【課題】送信機と受信機とがアンテナを共用する場合に、適切に歪補償処理を行うことができる送信機、受信機、送受信機、送信方法、および受信方法を提供する。【解決手段】送信時歪補償部１１は、入力信号に歪補償処理を施す。出力部１２は、送信時歪補償部１１の出力に送信用処理を施して、受信機を共用するアンテナに入力するための送信用信号を出力する。送信側記憶部１３には、出力部１２とアンテナとの間の送信経路で生じる歪みを補償するための送信経路用パラメータが記憶されている。送信側設定部１４は、送信経路用パラメータに基づいて、送信時歪補償部１１を設定する。【選択図】      図６
2017228835.tif 000002
【特許請求の範囲】
【請求項１】
入力信号に歪補償処理を施す送信時歪補償手段と、
前記送信時歪補償手段の出力に送信用処理を施して、受信機と共用するアンテナに入力するための送信用信号を出力する出力手段と、
前記出力手段と前記アンテナとの間の送信経路で生じる歪みを補償するための送信経路用パラメータが記憶された送信側記憶手段と、
前記送信経路用パラメータに基づいて、前記送信時歪補償手段を設定する送信側設定手段とを備えた
ことを特徴とする送信機。
【請求項２】
前記送信側記憶手段は、前記送信経路用パラメータとして、他の送信経路に応じたパラメータを記憶可能である
請求項１に記載の送信機。
【請求項３】
前記送信機は、さらに、前記出力手段の出力信号を前記送信時歪補償手段にフィードバックするためのフィードバック手段を含み、
前記送信側記憶手段には、さらに、前記フィードバックされた信号に応じ、前記歪補償処理で用いられる動的パラメータが記憶され、
前記送信側設定手段は、前記送信経路用パラメータと前記動的パラメータとに基づいて、前記送信時歪補償手段を設定する
請求項１または請求項２に記載の送信機。
【請求項４】
前記送信側記憶手段には、さらに、前記出力手段の出力が前記フィードバック手段によってフィードバックされるまでの経路に応じたフィードバック経路用パラメータが記憶され、
前記送信側設定手段は、さらに、前記フィードバック経路用パラメータに基づいて、前記送信時歪補償手段を設定する
請求項１から請求項３のうちいずれか１項に記載の送信機。
【請求項５】
送信機と共用するアンテナを介して受信信号が入力され、前記受信信号に受信処理を施す入力手段と、
前記入力手段の出力に歪補償処理を施す受信時歪補償手段と、
前記入力手段と前記アンテナとの間の受信経路で生じる歪みを補償するための受信経路用パラメータが記憶された受信側記憶手段と、
前記受信経路用パラメータに基づいて、前記受信時歪補償手段を設定する受信側設定手段とを備えた
ことを特徴とする受信機。
【請求項６】
前記受信側記憶手段は、さらに、前記受信経路用パラメータとして、他の受信経路に応じたパラメータを記憶可能である
請求項５に記載の受信機。
【請求項７】
前記受信側記憶手段には、前記入力手段で生じる歪みに応じ、前記歪補償処理で用いられる入力手段用パラメータが記憶され、
前記受信側設定手段は、前記受信経路用パラメータと前記入力手段用パラメータとに基づいて、前記受信時歪補償手段を設定する
請求項５または請求項６に記載の受信機。
【請求項８】
請求項１から請求項４のうちいずれか１項に記載の送信機と、
請求項５から請求項７のうちいずれか１項に記載の受信機とを備えた
ことを特徴とする送受信機。
【請求項９】
入力信号に歪補償処理を施し、
前記歪補償処理が施された信号に送信用処理を施して、受信機と共用するアンテナに入力するための送信用信号を出力し、
前記送信用信号を出力する出力手段と前記アンテナとの間の送信経路で生じる歪みを補償するための送信経路用パラメータに基づいて、前記歪補償処理の内容を設定する
ことを特徴とする送信方法。
【請求項１０】
送信機と共用するアンテナを介して受信信号が入力され、前記受信信号に受信処理を施し、
前記受信処理が施された信号に歪補償処理を施し、
前記受信処理を施す入力手段と前記アンテナとの間の受信経路で生じる歪みを補償するための受信経路用パラメータに基づいて、前記歪補償処理の内容を設定する
ことを特徴とする受信方法。
【発明の詳細な説明】
【技術分野】
【０００１】
本発明は、通信に用いられる送信機、受信機、送受信機、送信方法、および受信方法に関する。
【背景技術】
【０００２】
複数の送受信機によってアンテナが共用される通信システムがある。図８Ａは、複数の送受信機によって一のアンテナが共用されているシステムの構成例を示すブロック図である。図８Ａに示す例では、４つの送受信機４００−ａ〜４００−ｄによって、入出力部８００を介してアンテナ６００が共用されている通信システムと、４つの送受信機５００−ａ〜５００−ｄによってアンテナ７００が共用されている通信システムとによって、情報が送受信されている。
【０００３】
図８Ｂは、入出力部８００の構成例を示すブロック図である。図８Ｂに示すように、各送受信機４００−ａ〜４００−ｄと、アンテナ６００との間の入出力部８００には送信信号と受信信号とを分波または合成するパワーディバイダと、各送受信機４００−ａ〜４００−ｄ毎に、送信信号または受信信号の周波数帯域を通過帯域としそれ以外の周波数帯域を阻止帯域とする帯域通過フィルタ群とが配置されている。
【０００４】
図８Ｃは、図８Ａに示されている送受信機４００−ａの構成例を示すブロック図である。高伝送レートのデータ通信に用いられる無線通信システムにおいて、送受信機には、信号の劣化を抑制するために歪補償技術が用いられている。
【０００５】
そこで、高伝送レート、高多値、および広帯域のデジタル変調信号では、電力増幅器やフィルタなどで振幅歪や群遅延歪が生じることによる復調品質の劣化と、無線出力時のスペクトラム劣化とを改善する方法として、ＤＰＤ（Ｄｉｇｉｔａｌ  Ｐｒｅ−ｄｉｓｔｏｒｔｉｏｎ）という方法が用いられている。
【０００６】
特許文献１には、出力信号をフィードバックして歪補償処理を行う装置が記載されている。特許文献１に記載されている装置は、出力信号における信号歪みの主な要因となるＲＦ（Ｒａｄｉｏ  Ｆｒｅｑｕｅｎｃｙ）電力増幅器から出力された後の信号をフィードバック経路で変換したデジタル信号に基づいて、歪補償係数（等価パラメータともいう）を決定する。特許文献１に記載されている装置は、フィードバック経路が用意されたことによって、出力レベルの変動に応じて歪補償係数が変わるように、使用状況に追従した歪補償を実現できる。
【０００７】
特許文献２には、予め設定されているパラメータに基づいて歪補償処理を行うシステムが記載されている。特許文献２に記載されているシステムは、信号を受信する場合に、周波数変換およびＡＤＣ（Ａｎａｌｏｇ  ｔｏ  Ｄｉｇｉｔａｌ  Ｃｏｎｖｅｒｔｅｒ）におけるデジタル信号変換後に、送信局と受信局と、または、送信局と中継器と受信局とにおいて信号に生じる歪みを補正する歪補償係数を用いて歪補償処理を行う。
【０００８】
特許文献３には、受信側で歪補償処理が施された受信信号に基づいて、送信側における歪補償処理を調整するシステムが記載されている。
【先行技術文献】
【特許文献】
【０００９】
【特許文献１】特開２００５−２０３９２５号公報
【特許文献２】特開２００７−２２８０５７号公報
【特許文献３】特開２０１０−１９３２６６号公報
【発明の概要】
【発明が解決しようとする課題】
【００１０】
図８Ｂに示されているように複数の送受信機４００−ａ〜４００−ｄによってアンテナ６００が共用されている構成において、入出力部８００に配置されている帯域通過フィルタ８００ｆ−１〜８００ｆ−８の特性は、各送受信信号の信号帯域以外からの影響を除去するために急峻に設定されている。すると、通過帯域内の群遅延の周波数特性が劣化する。そのため、送受信機において、送信信号および受信信号に歪補償処理を行った場合でも、送受信機の入出力端からアンテナ結合部までの送信経路と、アンテナ結合部から送受信機の入出力端までの受信経路とにおいて信号に歪みが生じる。そのような歪みは、特に、高多値変調された変調信号への影響が大きく、高多値変調された変調信号を適切に送受信することが困難になる。
【００１１】
図８Ａ〜Ｃに示されているような構成において、特許文献１に記載されている装置のように歪補償処理を行った場合に、補償されるのはフィードバックが行われている送受信機４００−ａ〜４００−ｄの内部における歪みのみであり、送信経路や受信経路で生じる信号の劣化に対応することができない。
【００１２】
また、特許文献２に記載されているように、送信信号の経路で生じる歪みと受信信号の経路で生じる歪みとの補償処理を共通のパラメータで行った場合に、アンテナから送信された送信信号には、受信信号における歪みに対する補償処理に応じた逆特性歪みが含まれてしまう。したがって、送信信号は過補償な状態であり、歪特性が低下した状態である。よって、送信信号は、スペクトラムが歪んでおり、スペクトラムマスクや、ＡＬＣＲ（Ａｄｊａｃｅｎｔ  Ｃｈａｎｎｅｌ  Ｌｅａｋａｇｅ  Ｒａｔｉｏ）などの予め定められた規格を満たすことができない場合が生じる。
【００１３】
特許文献３に記載されている装置においても、特許文献２に記載されているシステムと同様な問題が生じうる。
【００１４】
そこで、本発明は、複数の送受信機がアンテナを共用する場合に、適切に歪補償処理を行うことができる送信機、受信機、送受信機、送信方法、および受信方法を提供することを目的とする。
【課題を解決するための手段】
【００１５】
本発明による送信機は、入力信号に歪補償処理を施す送信時歪補償手段と、送信時歪補償手段の出力に送信用処理を施して、受信機と共用するアンテナに入力するための送信用信号を出力する出力手段と、出力手段とアンテナとの間の送信経路で生じる歪みを補償するための送信経路用パラメータが記憶された送信側記憶手段と、送信経路用パラメータに基づいて、送信時歪補償手段を設定する送信側設定手段とを備えたことを特徴とする。
【００１６】
本発明による受信機は、送信機と共用するアンテナを介して受信信号が入力され、受信信号に受信処理を施す入力手段と、入力手段の出力に歪補償処理を施す受信時歪補償手段と、入力手段とアンテナとの間の受信経路で生じる歪みを補償するための受信経路用パラメータが記憶された受信側記憶手段と、受信経路用パラメータに基づいて、受信時歪補償手段を設定する受信側設定手段とを備えたことを特徴とする。
【００１７】
本発明による送受信機は、いずれかの態様の送信機と、いずれかの態様の受信機とを備えたことを特徴とする。
【００１８】
本発明による送信方法は、入力信号に歪補償処理を施し、歪補償処理が施された信号に送信用処理を施して、受信機と共用するアンテナに入力するための送信用信号を出力し、送信用信号を出力する出力手段とアンテナとの間の送信経路で生じる歪みを補償するための送信経路用パラメータに基づいて、歪補償処理の内容を設定することを特徴とする。
【００１９】
本発明による受信方法は、送信機と共用するアンテナを介して受信信号が入力され、受信信号に受信処理を施し、受信処理が施された信号に歪補償処理を施し、受信処理を施す入力手段とアンテナとの間の受信経路で生じる歪みを補償するための受信経路用パラメータに基づいて、歪補償処理の内容を設定することを特徴とする。
【発明の効果】
【００２０】
本発明によれば、複数の送受信機がアンテナを共用する場合に、適切に歪補償処理を行うことができる。
【図面の簡単な説明】
【００２１】
【図１】第１の実施形態の送受信機の接続例を示すブロック図である。
【図２】第１の実施形態の送受信機における送信時の動作を示すフローチャートである。
【図３】本実施形態における所定の歪補償処理の例を示すフローチャートである。
【図４】第１の実施形態の送受信機における受信時の動作を示すフローチャートである。
【図５】本実施形態における予め決められた歪補償処理の例を示すフローチャートである。
【図６】第２の実施形態の送信機の構成例を示すブロック図である。
【図７】第３の実施形態の受信機の構成例を示すブロック図である。
【図８Ａ】複数の送受信機によって一のアンテナが共用されているシステムの構成例を示すブロック図である。
【図８Ｂ】入出力部の構成例を示すブロック図である。
【図８Ｃ】図８Ａに示されている送受信機の構成例を示すブロック図である。
【発明を実施するための形態】
【００２２】
実施形態１．
第１の実施形態の送受信機３００について図面を参照して説明する。図１は、第１の実施形態の送受信機３００の接続例を示すブロック図である。図１に示すように、第１の実施形態の送受信機３００は、入出力部５００を介してアンテナ６００が接続されている。そして、送受信機３００は、送信用信号を入出力部５００に入力すると、当該送信用信号に応じた送信信号がアンテナ６００に入力されて送信される。また、アンテナ６００によって受信された受信信号は、入出力部５００においてフィルタ処理が施されて送受信機３００に入力される。
【００２３】
なお、入出力部５００は、送受信機３００において、送信用信号が出力され、受信信号が入力される送受信端３００ａに接続されている。また、アンテナ６００は、入出力部５００のアンテナ接続端５００ａに接続されている。
【００２４】
入出力部５００には、送受信機４００も接続されている。したがって、送受信機３００は、送受信機４００と、入出力部５００およびアンテナ６００を共用している。なお、入出力部５００は、送受信機４００の送信用信号が出力され、受信信号が入力される送受信端４００ａに接続されている。よって、前述したように、送受信機３００および送受信機４００によって共用されているアンテナ６００が入出力部５００に接続されるアンテナ接続端５００ａと、送受信機３００の送受信端３００ａおよび送受信機４００の送受信端４００ａとの間には、急峻な周波数特性の帯域通過フィルタが配置されている。つまり、入出力部５００における帯域通過フィルタ５１０−ａ〜５１０−ｄの周波数特性は急峻である。なお、アンテナ６００がさらに多くの送受信機によって共用されるように、入出力部５００が構成されていてもよい。
【００２５】
図１に示すように、入出力部５００は、帯域通過フィルタ５１０−ａ〜５１０−ｄおよびサーキュレータ５２０−ａ〜５２０ｃを含む。
【００２６】
帯域通過フィルタ５１０−ａ〜５１０−ｄは、入力された信号に、それぞれ所定のフィルタ処理を施す。
【００２７】
サーキュレータ５２０−ａは、送受信機３００の送受信端３００ａ、帯域通過フィルタ５１０−ａ，５１０−ｃに接続されている。そして、サーキュレータ５２０−ａは、送受信機３００の送受信端３００ａから入力された送信用信号を帯域通過フィルタ５１０−ａに入力する。また、サーキュレータ５２０−ａは、帯域通過フィルタ５１０−ｃによってフィルタ処理が施された受信信号を送受信機３００の送受信端３００ａに入力する。
【００２８】
サーキュレータ５２０−ｂは、送受信機４００の送受信端４００ａ、帯域通過フィルタ５１０−ｂ，５１０−ｄに接続されている。そして、サーキュレータ５２０−ｂは、送受信機４００の送受信端４００ａから入力された送信用信号を帯域通過フィルタ５１０−ｂに入力する。また、サーキュレータ５２０−ｂは、帯域通過フィルタ５１０−ｄによってフィルタ処理が施された受信信号を送受信機４００の送受信端４００ａに入力する。
【００２９】
サーキュレータ５２０−ｃは、帯域通過フィルタ５１０−ａ〜５１０−ｄ、およびアンテナ接続端５００ａに接続されている。そして、サーキュレータ５２０−ｂは、アンテナ接続端５００ａを介してアンテナが受信した受信信号を帯域通過フィルタ５１０−ｃ，５１０−ｄに入力する。また、サーキュレータ５２０−ｂは、帯域通過フィルタ５１０−ａ，５１０−ｂによって送信用信号にフィルタ処理が施された送信信号をアンテナ接続端５００ａを介してアンテナ６００に入力する。アンテナ６００に入力された送信信号は送信される。
【００３０】
図１に示すように、送受信機３００は、送信部１００と受信部２００とを含む。送信部１００は、例えば、アンテナ６００を介して送信信号を送信するためのモジュールである。また、受信部２００は、例えば、アンテナ６００を介して受信信号を受信するためのモジュールである。したがって、アンテナ６００は、送信部１００と受信部２００とによって共用されている。
【００３１】
送信部１００は、送信用信号処理部１１０と、フィードバック用信号処理部１３０と、送信用信号処理部１１０およびフィードバック用信号処理部１３０に搬送周波数に応じた発信信号を供給する発振信号供給部１４０を含む。
【００３２】
図１に示すように、送信部１００の送信用信号処理部１１０は、帯域通過フィルタ１１１、Ａ−Ｄ（Ａｎａｌｏｇ  ｔｏ  Ｄｉｇｉｔａｌ）コンバータ１１２、送信用等化器１１３、記憶部１１４、送信用等化パラメータ演算部１１５、変調器１１６、Ｄ−Ａ（Ｄｉｇｉｔａｌ  ｔｏ  Ａｎａｌｏｇ）コンバータ１１７、周波数変換器１１８、電力増幅器１１９、帯域通過フィルタ１２０を含む。
【００３３】
帯域通過フィルタ１１１は、入力されたアナログ信号である入力信号にフィルタ処理を施す。
【００３４】
Ａ−Ｄコンバータ１１２は、フィルタ処理が施されたアナログ信号である入力信号をデジタル信号に変換する。
【００３５】
送信用等化器１１３は、デジタル信号に変換された入力信号に、所定の歪補償処理を施す。なお、送信用等化器１１３は、例えば、歪補償を行う機能を有するプロセッサ等の複数の電子回路によって実現される。
【００３６】
記憶部１１４には、送信用等化器１１３が入力信号に所定の歪補償処理を施すためのパラメータが記憶されている。
【００３７】
送信用等化パラメータ演算部１１５は、記憶部１１４に記憶されているパラメータと、後述するフィードバック信号とに基づいて、送信用等化器１１３が行う所定の歪補償処理に用いられるパラメータの演算を行う。
【００３８】
変調器１１６は、所定の歪補償処理が施された入力信号に所定の変調処理を施す。
【００３９】
Ｄ−Ａコンバータ１１７は、変調後の入力信号をアナログ信号に変換する。なお、Ｄ−Ａコンバータ１１７の出力側には、例えば、所定の周波数以上の周波数の信号を通過させるハイパスフィルタが配置されている。
【００４０】
周波数変換器１１８は、発振信号供給部１４０が供給した発振信号に基づいて、アナログ信号に変換された入力信号を、所定の搬送周波数の送信用信号に周波数変換する。具体的には、周波数変換器１１８は、例えば、入力信号の周波数帯を、ベースバンドから搬送周波数帯に変換する。なお、周波数変換器１１８には、電圧変換ゲインを得るための電力増幅器が含まれていてもよい。
【００４１】
電力増幅器１１９は、送信用信号を増幅する。なお、電力増幅器１１９は、例えば、パワーアンプである。
【００４２】
帯域通過フィルタ１２０は、送信用信号にフィルタ処理を施す。なお、帯域通過フィルタ１２０によって、例えば、不要輻射対策のフィルタ処理が行われる。
【００４３】
そして、帯域通過フィルタ１２０によってフィルタ処理が施された送信用信号は、送受信端４００ａを介して入出力部５００に入力される。
【００４４】
また、送信部１００のフィードバック用信号処理部１３０は、周波数変換器１３１、Ａ−Ｄコンバータ１３２、および復調器１３３を含む。なお、フィードバック用信号処理部１３０には、送信用信号処理部１１０における電力増幅器１１９が増幅した送信用信号が入力され、電力増幅器１１９における増幅度に応じて当該送信用信号を減衰させるための減衰器が配置されていてもよい。
【００４５】
周波数変換器１３１は、発振信号供給部１４０が供給した発振信号に基づいて、電力増幅器１１９が増幅した送信用信号を所定のベースバンドの周波数帯のフィードバック信号に変換する。なお、周波数変換器１３１には、電圧変換ゲインを得るための電力増幅器が含まれていてもよい。
【００４６】
Ａ−Ｄコンバータ１３２は、アナログ信号であるフィードバック信号をデジタル信号に変換する。なお、Ａ−Ｄコンバータ１３２の入力側には、例えば、所定の周波数以上の周波数の信号を通過させるハイパスフィルタが配置されている。
【００４７】
復調器１３３は、デジタル信号であるフィードバック信号に、変調器１１６が行う所定の変調処理に応じた復調処理を施す。そして、復調器１３３によって復調処理が施されたフィードバック信号は、送信用等化パラメータ演算部１１５に入力される。
【００４８】
図１に示すように、受信部２００は、帯域通過フィルタ２０１、電力増幅器２０２、発振信号供給部２０３、周波数変換器２０４、Ａ−Ｄコンバータ２０５、復調器２０６、受信用等化器２０７、記憶部２０８、受信用等化パラメータ演算部２０９、Ｄ−Ａコンバータ２１０、および帯域通過フィルタ２１１を含む。
【００４９】
帯域通過フィルタ２０１は、入出力部５００から送受信端３００ａを介して入力された受信信号にフィルタ処理を施す。
【００５０】
電力増幅器２０２は、フィルタ処理が施された受信信号を増幅する。なお、電力増幅器２０２は、例えば、低雑音増幅器である。
【００５１】
発振信号供給部２０３は、所定の搬送周波数に応じた発信信号を供給する。なお、発振信号供給部２０３を備える代わりに、前述した発振信号供給部１４０が発振信号を供給するように構成されていてもよい。
【００５２】
周波数変換器２０４は、発振信号供給部２０３が供給した発振信号に基づいて、電力増幅器２０２が増幅した受信信号を所定のベースバンドの周波数帯のベースバンド信号に変換する。なお、周波数変換器２０４には、電圧変換ゲインを得るための電力増幅器が含まれていてもよい。
【００５３】
Ａ−Ｄコンバータ２０５は、受信信号に基づくアナログ信号であるベースバンド信号をデジタル信号に変換する。なお、Ａ−Ｄコンバータ２０５の入力側には、例えば、所定の周波数以上の周波数の信号を通過させるハイパスフィルタが配置されている。
【００５４】
復調器２０６は、デジタル信号であるベースバンド信号に、受信信号の送信側でなされた変調処理に応じた復調処理を施す。
【００５５】
受信用等化器２０７は、デジタル信号に変換されたベースバンド信号に、予め決められた歪補償処理を施す。
【００５６】
記憶部２０８には、受信用等化器２０７がベースバンド信号に予め決められた歪補償処理を施すためのパラメータが記憶されている。
【００５７】
受信用等化パラメータ演算部２０９は、記憶部２０８に記憶されているパラメータに基づいて、受信用等化器２０７が行う予め決められた歪補償処理に用いられるパラメータの演算を行う。
【００５８】
Ｄ−Ａコンバータ２１０は、歪補償処理が施されたデジタル信号であるベースバンド信号をアナログ信号に変換する。
【００５９】
帯域通過フィルタ２１１は、アナログ信号に変換されたベースバンド信号にフィルタ処理を施す。
【００６０】
なお、送信時歪補償手段は、例えば、送信用等化器１１３に相当する。出力手段は、変調器１１６、Ｄ−Ａコンバータ１１７、周波数変換器１１８、電力増幅器１１９、および帯域通過フィルタ１２０に相当する。送信側記憶手段は、例えば、記憶部１１４に相当する。送信側設定手段は、例えば、送信用等化パラメータ演算部１１５に相当する。送信経路用パラメータは、例えば、出力部用静的パラメータに相当する。フィードバック経路用パラメータは、例えば、送信部用静的パラメータに相当する。
【００６１】
また、入力手段は、帯域通過フィルタ２０１、電力増幅器２０２、周波数変換器２０４、Ａ−Ｄコンバータ２０５、および復調器２０６に相当する。受信時歪補償手段は、例えば、受信用等化器２０７に相当する。受信側記憶手段は、例えば、記憶部２０８に相当する。受信側設定部２４は、例えば、受信用等化パラメータ演算部２０９に相当する。受信経路用パラメータは、例えば、入力部用静的パラメータに相当する。入力手段用パラメータは、例えば、受信部用静的パラメータに相当する。
【００６２】
次に、第１の実施形態の送受信機３００の動作について説明する。図２は、第１の実施形態の送受信機３００における送信時の動作を示すフローチャートである。
【００６３】
まず、入力信号が入力された場合に、当該入力信号に、帯域通過フィルタ１１１によってフィルタ処理が施される（ステップＳ１０１）。
【００６４】
そして、Ａ−Ｄコンバータ１１２が、帯域通過フィルタ１１１によってフィルタ処理が施されたアナログ信号である入力信号をデジタル信号に変換する（ステップＳ１０２）。
【００６５】
送信用等化器１１３が、デジタル信号に変換された入力信号に、所定の歪補償処理を施す（ステップＳ１０３）。
【００６６】
ステップＳ１０３の処理で入力信号に施される所定の歪補償処理について説明する。本実施形態における所定の歪補償処理とは、入力信号が送受信機３００に入力されて、送信信号となってアンテナ接続端５００ａを介してアンテナ６００に入力されるまでに生じる歪みに応じて、送信用等化器１１３が、当該入力信号に当該歪みの逆特性を付与する処理である。送信用等化器１１３が、そのような歪補償処理を行うことによって、送受信機３００に入力されてからアンテナ接続端５００ａを介してアンテナ６００に入力されるまでに信号に生じる歪みが補償される。なお、当該歪みは、例えば、振幅歪みや群遅延歪み等を含む。
【００６７】
図３は、本実施形態における所定の歪補償処理の例を示すフローチャートである。
【００６８】
送信用等化器１１３は、例えば、送信用等化パラメータ演算部１１５に、前回の歪補償処理結果の入力信号を入力して、送信用等化パラメータの演算を指示する。送信用等化パラメータ演算部１１５は、送信用等化器１１３の指示に応じて、記憶部１１４からパラメータを読み出す（ステップＳ２０１）。
【００６９】
記憶部１１４に記憶されているパラメータについて説明する。記憶部１１４には、送信用信号処理部１１０において入力信号および送信用信号に生じる歪みに応じた送信部用静的パラメータが記憶されている。具体的には、送信部用静的パラメータは、例えば、帯域通過フィルタ１１１、Ａ−Ｄコンバータ１１２、変調器１１６、Ｄ−Ａコンバータ１１７、周波数変換器１１８、電力増幅器１１９、および帯域通過フィルタ１２０において、入力信号に生じる歪みまたは送信用信号に生じる歪みに応じたパラメータである。なお、パラメータは、例えば、係数である。
【００７０】
また、記憶部１１４には、フィードバック信号に応じた動的パラメータが記憶されている。具体的には、例えば、ステップＳ２０１の処理で送信用等化器１１３が入力した入力信号と、フィードバック信号との差分に応じたパラメータが記憶されている。なお、フィードバック信号は、送信用等化器１１３が送信用等化パラメータ演算部１１５とともに変調器１１６に入力した入力信号が、当該変調器１１６、Ｄ−Ａコンバータ１１７、周波数変換器１１８、電力増幅器１１９、周波数変換器１３１、Ａ−Ｄコンバータ１３２、および復調器１３３を介して送信用等化パラメータ演算部１１５に入力された信号である。したがって、フィードバック信号は、当該入力信号と比較して、伝送経路になった各部において歪みが生じている。したがって、入力信号とフィードバック信号との差分によって、フィードバック信号の伝送経路において生じた歪みが示されている。よって、記憶部１１４に記憶されている動的パラメータは、つまり、送受信機３００内において入力信号、送信用信号、およびフィードバック信号が伝送されたことによって生じた歪みに応じたパラメータである。なお、パラメータは、例えば、係数である。
【００７１】
さらに、記憶部１１４には、入出力部５００において送信用信号および送信信号に生じる歪みに応じた出力部用静的パラメータが記憶されている。具体的には、出力部用静的パラメータは、例えば、サーキュレータ５２０−ａ、帯域通過フィルタ５１０ａ、およびサーキュレータ５２０−ｃにおいて、送信用信号または送信信号に生じる歪みに応じたパラメータである。なお、パラメータは、例えば、係数である。
【００７２】
送信用等化パラメータ演算部１１５は、ステップＳ２０１の処理で、記憶部１１４から、送信部用静的パラメータ、動的パラメータ、および出力部用静的パラメータを読み出す。なお、送信用等化パラメータ演算部１１５がステップＳ２０１の処理で読み出す動的パラメータは、例えば、フィードバック信号に応じたパラメータであり、具体的には、例えば、送信用等化器１１３が入力した前回の歪補償処理結果の入力信号と、フィードバック信号との差分に応じたパラメータである。なお、パラメータは、例えば、係数である。また、送信用等化パラメータ演算部１１５は、ステップＳ２０１の処理で、記憶部１１４から、送信部用静的パラメータ、動的パラメータ、および出力部用静的パラメータのうち、いずれか１つ以上を読み出すように構成されていてもよい。
【００７３】
そして、送信用等化パラメータ演算部１１５は、ステップＳ２０１の処理で読み出した送信部用静的パラメータ、動的パラメータ、および出力部用静的パラメータに基づいて、送信用等化器１１３が今回入力した入力信号に施す歪補償処理に用いるパラメータである送信用等化パラメータを算出する（ステップＳ２０２）。なお、送信用等化パラメータ演算部１１５は、さらに、送信用等化器１１３が今回入力した入力信号にも基づいて送信用等化パラメータを算出するように構成されていてもよい。
【００７４】
送信用等化パラメータ演算部１１５は、ステップＳ２０２の処理で算出した送信用等化パラメータを送信用等化器１１３に入力する。そして、送信用等化器１１３は、送信用等化パラメータ演算部１１５が算出して入力した送信用等化パラメータに基づいて、入力された入力信号に所定の歪補償処理を施す（ステップＳ２０３）。なお、ステップＳ２０３の処理で施される所定の歪補償処理は、公知の処理方法によって行われる。
【００７５】
送信用等化器１１３は、ステップＳ１０３，Ｓ２０３の処理で所定の歪補償処理を施した入力信号を変調器１１６に入力する。変調器１１６は、ステップＳ１０３，Ｓ２０３の処理で所定の歪補償処理が施された入力信号に所定の変調処理を施す（ステップＳ２０４）。
【００７６】
Ｄ−Ａコンバータ１１７は、ステップＳ２０４の処理で変調された入力信号をアナログ信号に変換する（ステップＳ２０５）。
【００７７】
周波数変換器１１８は、ステップＳ２０５の処理でアナログ信号に変換された入力信号をベースバンドから搬送周波数帯の送信用信号に変換する（ステップＳ２０６）。
【００７８】
電力増幅器１１９は、送信用信号を増幅する（ステップＳ２０７）。ステップＳ２０７の処理で電力増幅器１１９によって増幅された送信用信号は、帯域通過フィルタ１２０によってフィルタ処理が施されて、送受信端４００ａを介して入出力部５００に入力される。
【００７９】
ここで、入出力部５００に入力された送信用信号には、送受信機３００内の伝送経路において歪みが生じている。しかし、送信用等化器１１３によって、送信用信号には、当該歪みに応じた逆特性が既に付与され、補償されている。
【００８０】
そして、送信用等化器１１３によって送受信機３００内の伝送経路における歪みが補償されて入出力部５００に入力された送信用信号は、送信信号としてアンテナ接続端５００ａを介してアンテナ６００に入力されるまでの入出力部５００における伝送経路で歪みが生じている。しかし、送信用等化器１１３によって、送信用信号には、当該歪みに応じた逆特性が既に付与され、補償されている。
【００８１】
次に、送受信機３００における受信時の動作について説明する。図４は、第１の実施形態の送受信機３００における受信時の動作を示すフローチャートである。
【００８２】
まず、入出力部５００から、送受信端４００ａを介して受信信号が入力された場合に、当該受信信号は、帯域通過フィルタ２０１によってフィルタ処理が施される。そして、電力増幅器２０２は、フィルタ処理が施された受信信号を増幅する（ステップＳ３０１）。
【００８３】
周波数変換器２０４は、電力増幅器２０２が増幅した受信信号を所定のベースバンドの周波数帯のベースバンド信号に変換する（ステップＳ３０２）。
【００８４】
Ａ−Ｄコンバータ２０５は、受信信号に基づくアナログ信号であるベースバンド信号をデジタル信号に変換する（ステップＳ３０３）。
【００８５】
復調器２０６は、デジタル信号であるベースバンド信号に、受信信号の送信側でなされた変調処理に応じた復調処理を施す（ステップＳ３０４）。
【００８６】
受信用等化器２０７は、デジタル信号に変換されたベースバンド信号に、予め決められた歪補償処理を施す（ステップＳ３０５）。
【００８７】
ステップＳ３０５の処理でベースバンド信号に施される予め決められた歪補償処理について説明する。本実施形態における予め決められた歪補償処理とは、アンテナ接続端５００ａを介してアンテナ６００から入出力部５００に入力されて、ベースバンド信号となって受信用等化器２０７に入力されるまでに生じた歪みに応じて、受信用等化器２０７が、当該ベースバンド信号に当該歪みの逆特性を付与する処理である。受信用等化器２０７が、そのような歪補償処理を行うことによって、アンテナ接続端５００ａを介してアンテナ６００から入出力部５００に入力されてから受信用等化器２０７に入力されるまでに信号に生じる歪みが補償される。なお、当該歪みは、例えば、振幅歪みや群遅延歪み等を含む。
【００８８】
図５は、本実施形態における予め決められた歪補償処理の例を示すフローチャートである。
【００８９】
受信用等化器２０７は、例えば、受信用等化パラメータ演算部２０９に、受信用等化パラメータの演算を指示する。受信用等化パラメータ演算部２０９は、受信用等化器２０７の指示に応じて記憶部２０８からパラメータを読み出す（ステップＳ４０１）。
【００９０】
記憶部２０８に記憶されているパラメータについて説明する。記憶部２０８には、受信部２００において受信信号に生じる歪みまたはベースバンド信号に生じる歪みに応じた受信部用静的パラメータが記憶されている。具体的には、受信部用静的パラメータは、例えば、帯域通過フィルタ２０１、電力増幅器２０２、周波数変換器２０４、Ａ−Ｄコンバータ２０５、および復調器２０６において、受信信号またはベースバンド信号に生じる歪みに応じたパラメータである。なお、パラメータは、例えば、係数である。
【００９１】
また、記憶部２０８には、入出力部５００において受信信号に生じる歪みに応じた入力部用静的パラメータが記憶されている。具体的には、入力部用静的パラメータは、例えば、サーキュレータ５２０−ｃ、帯域通過フィルタ５１０ｄ、およびサーキュレータ５２０−ｂにおいて、受信信号に生じる歪みに応じたパラメータである。なお、パラメータは、例えば、係数である。
【００９２】
受信用等化パラメータ演算部２０９は、ステップＳ４０１の処理で、記憶部２０８から受信部用静的パラメータおよび入力部用静的パラメータを読み出す。
【００９３】
そして、受信用等化パラメータ演算部２０９は、ステップＳ４０１の処理で読み出した受信部用静的パラメータおよび入力部用静的パラメータに基づいて、受信用等化器２０７がベースバンド信号に施す歪補償処理に用いるパラメータである受信用等化パラメータを算出する（ステップＳ４０２）。
【００９４】
受信用等化パラメータ演算部２０９は、ステップＳ４０２の処理で算出した受信用等化パラメータを受信用等化器２０７に入力する。そして、受信用等化器２０７は、受信用等化パラメータ演算部２０９が算出して入力した受信用等化パラメータに基づいて、入力されたベースバンド信号に予め定められた歪補償処理を施す（ステップＳ４０３）。なお、ステップＳ４０３の処理で施される予め定められた歪補償処理は、公知の処理方法によって行われる。
【００９５】
本実施形態によれば、送信部１００の送信用等化器１１３が、送受信機３００および入出力部５００における送信用の経路で生じる歪みに応じて、入力信号に補償処理を施す。また、受信部２００の受信用等化器２０７が、送受信機３００および入出力部５００における受信用の経路で生じる歪みに応じて、ベースバンド信号に補償処理を施す。具体的には、送信用等化器１１３が送信用の経路で生じる歪みに応じたパラメータを用いて補償処理を行い、送信用等化器１１３が送信用の経路で生じる歪みに応じたパラメータを用いて補償処理を行う。受信用等化器２０７が受信用の経路で生じる歪みに応じたパラメータを用いて補償処理を行う。したがって、送受信機３００において、アンテナ６００から送信される信号とアンテナ６００が受信した信号とには、それぞれの経路に応じた補償処理が施される。よって、送信部１００と受信部２００とをそれぞれ含む送受信機３００および送受信機４００によってアンテナ６００が共用され、急峻な周波数特性の帯域通過フィルタが使用されて信号に歪が生じる場合であっても、適切に歪補償処理を行うことができる。そして、受信時の補償処理に用いられるパラメータによる送信時の補償処理への悪影響を良好に防ぐことができる。
【００９６】
特に、本実施形態によれば、送信用等化器１１３および受信用等化器２０７は、入出力部５００において生じる歪み、つまり、送受信機３００における送受信端３００ａと入出力部５００におけるアンテナ接続端５００ａとの間の経路で生じる歪みを補償する。したがって、本例のように、アンテナ６００が共用されて入出力部５００において急峻な特性の帯域通過フィルタが用いられていても、送受信機３００は適切に歪補償処理を行うことができる。
【００９７】
さらに、本実施形態によれば、送信用等化器１１３は、送信部用静的パラメータと動的パラメータとに基づいて補償処理を行う。したがって、静的なパラメータのみに基づいて歪補償処理を行う場合に比べて、送信用等化器１１３は、より適切に歪補償処理を行うことが可能になる。
【００９８】
なお、本例では、記憶部１１４および記憶部２０８には、送受信機３００とアンテナ６００との間の経路（本例では入出力部５００）に応じた各パラメータが予めそれぞれ記憶されている。しかし、記憶部１１４および記憶部２０８の記憶内容は、送受信機３００とアンテナ６００との間の経路に応じて、変更されるように構成されていてもよい。具体的には、例えば、記憶部１１４および記憶部２０８に複数種類の入出力部に応じた各パラメータが予めそれぞれ記憶され、送受信機３００の管理者による設定に応じて、送信用等化器１１３および受信用等化器２０７が補償処理に用いるパラメータをそれぞれ読み出すように構成されていてもよい。また、記憶部１１４および記憶部２０８が、送受信機３００とアンテナ６００との間の経路に応じたパラメータを新たに記憶可能なように構成されていてもよい。
【００９９】
そのような構成によれば、送信用等化器１１３および受信用等化器２０７は、様々な入出力部に応じて適切に歪補償処理を行うことができる。
【０１００】
なお、各等化パラメータには、補償範囲外で歪補償処理を行うために、当該補償範囲外における群遅延特性に基づくパラメータが含まれていてもよいし、さらに、当該パラメータを近似または特定の変数で簡易化されて補正されたパラメータが含まれていてもよい。そして、当該補償範囲外で、常に歪補償処理を行うように構成されていてもよいし、所定の条件に合致した場合に歪補償処理を行うように構成されていてもよい。所定の条件とは、例えば、アンテナと所定の接続状態で接続されているか否かである。
【０１０１】
実施形態２．
次に、第２の実施形態の送信機１０について、図面を参照して説明する。図６は、第２の実施形態の送信機１０の構成例を示すブロック図である。
【０１０２】
図６に示すように、第２の実施形態の送信機１０は、送信時歪補償部１１、出力部１２、送信側記憶部１３、および送信側設定部１４を含む。
【０１０３】
送信時歪補償部１１は、例えば、第１の実施形態における送信用等化器１１３に相当する。
【０１０４】
出力部１２は、第１の実施形態における変調器１１６、Ｄ−Ａコンバータ１１７、周波数変換器１１８、電力増幅器１１９、および帯域通過フィルタ１２０に相当する。
【０１０５】
送信側記憶部１３は、例えば、第１の実施形態における記憶部１１４に相当する。
【０１０６】
送信側設定部１４は、例えば、第１の実施形態における送信用等化パラメータ演算部１１５に相当する。
【０１０７】
送信時歪補償部１１は、入力信号に歪補償処理を施す。
【０１０８】
出力部１２は、送信時歪補償部１１の出力に送信用処理を施して、受信機を共用するアンテナに入力するための送信用信号を出力する。なお、受信機は、例えば、第１の実施形態における受信部２００や、送受信機４００における受信部に相当する。アンテナは、例えば、第１の実施形態におけるアンテナ６００に相当する。
【０１０９】
送信側記憶部１３には、出力部１２とアンテナとの間の送信経路で生じる歪みを補償するための送信経路用パラメータが記憶されている。なお、送信経路用パラメータは、例えば、第１の実施形態における出力部用静的パラメータに相当する。
【０１１０】
送信側設定部１４は、送信経路用パラメータに基づいて、送信時歪補償部１１を設定する。
【０１１１】
本実施形態によれば、複数の送受信機がアンテナを共用する場合に、適切に歪補償処理を行うことができる。
【０１１２】
実施形態３．
次に、第３の実施形態の受信機２０について図面を参照して説明する。図７は、第３の実施形態の受信機２０の構成例を示すブロック図である。
【０１１３】
図７に示すように、第３の実施形態の受信機２０は、入力部２１、受信時歪補償部２２、受信側記憶部２３、および受信側設定部２４を含む。
【０１１４】
入力部２１は、第１の実施形態における帯域通過フィルタ２０１、電力増幅器２０２、周波数変換器２０４、Ａ−Ｄコンバータ２０５、および復調器２０６に相当する。
【０１１５】
受信時歪補償部２２は、例えば、第１の実施形態における受信用等化器２０７に相当する。
【０１１６】
受信側記憶部２３は、例えば、第１の実施形態における記憶部２０８に相当する。
【０１１７】
受信側設定部２４は、例えば、第１の実施形態における受信用等化パラメータ演算部２０９に相当する。
【０１１８】
入力部２１は、送信機と共用するアンテナを介して受信信号が入力され、受信信号に受信処理を施す。なお、送信機は、例えば、第１の実施形態における送信部１００や、送受信機４００における送信部に相当する。また、アンテナは、例えば、第１の実施形態におけるアンテナ６００に相当する。
【０１１９】
受信時歪補償部２２は、入力部２１の出力に歪補償処理を施す。
【０１２０】
受信側記憶部２３には、入力部２１とアンテナとの間の受信経路で生じる歪みを補償するための受信経路用パラメータが記憶されている。なお、受信経路用パラメータは、例えば、第１の実施形態における入力部用静的パラメータに相当する。
【０１２１】
受信側設定部２４は、受信経路用パラメータに基づいて、受信時歪補償部２２を設定する。
【０１２２】
本実施形態によれば、複数の送受信機がアンテナを共用する場合に、適切に歪補償処理を行うことができる。
【０１２３】
上記の実施形態の一部又は全部は、以下の付記のようにも記載されうるが、以下には限られない。
【０１２４】
（付記１）入力信号に歪補償処理を施す送信時歪補償手段と、前記送信時歪補償手段の出力に送信用処理を施して、受信機と共用するアンテナに入力するための送信用信号を出力する出力手段と、前記出力手段と前記アンテナとの間の送信経路で生じる歪みを補償するための送信経路用パラメータが記憶された送信側記憶手段と、前記送信経路用パラメータに基づいて、前記送信時歪補償手段を設定する送信側設定手段とを備えたことを特徴とする送信機。
【０１２５】
（付記２）前記送信側記憶手段は、前記送信経路用パラメータとして、他の送信経路に応じたパラメータを記憶可能である付記１に記載の送信機。
【０１２６】
（付記３）前記送信機は、さらに、前記出力手段の出力信号を前記送信時歪補償手段にフィードバックするためのフィードバック手段を含み、前記送信側記憶手段には、さらに、前記フィードバックされた信号に応じ、前記歪補償処理で用いられる動的パラメータが記憶され、前記送信側設定手段は、前記送信経路用パラメータと前記動的パラメータとに基づいて、前記送信時歪補償手段を設定する付記１または付記２に記載の送信機。
【０１２７】
（付記４）前記送信側記憶手段には、さらに、前記出力手段の出力信号が前記フィードバック手段によってフィードバックされるまでの経路に応じたフィードバック経路用パラメータが記憶され、前記送信側設定手段は、さらに、前記フィードバック経路用パラメータに基づいて、前記送信時歪補償手段を設定する付記１から付記３のうちいずれかに記載の送信機。
【０１２８】
（付記５）送信機と共用するアンテナを介して受信信号が入力され、前記受信信号に受信処理を施す入力手段と、前記入力手段の出力に歪補償処理を施す受信時歪補償手段と、前記入力手段と前記アンテナとの間の受信経路で生じる歪みを補償するための受信経路用パラメータが記憶された受信側記憶手段と、前記受信経路用パラメータに基づいて、前記受信時歪補償手段を設定する受信側設定手段とを備えたことを特徴とする受信機。
【０１２９】
（付記６）前記受信側記憶手段は、さらに、前記受信経路用パラメータとして、他の受信経路に応じたパラメータを記憶可能である付記５に記載の受信機。
【０１３０】
（付記７）前記受信側記憶手段には、前記入力手段で生じる歪みに応じ、前記歪補償処理で用いられる入力手段用パラメータが記憶され、前記受信側設定手段は、前記受信経路用パラメータと前記入力手段用パラメータとに基づいて、前記受信時歪補償手段を設定する付記５または付記６に記載の受信機。
【０１３１】
（付記８）付記１から付記４のうちいずれかに記載の送信機と、付記５から付記７のうちいずれかに記載の受信機とを備えたことを特徴とする送受信機。
【０１３２】
（付記９）入力信号に歪補償処理を施し、前記歪補償処理が施された信号に送信用処理を施して、受信機と共用するアンテナに入力するための送信用信号を出力し、
前記送信用信号を出力する出力手段と前記アンテナとの間の送信経路で生じる歪みを補償するための送信経路用パラメータが記憶された送信側記憶手段に記憶されている送信経路用パラメータに基づいて、前記歪補償処理の内容を設定することを特徴とする送信方法。
【０１３３】
（付記１０）送信機と共用するアンテナを介して受信信号が入力され、前記受信信号に受信処理を施し、前記受信処理が施された信号に歪補償処理を施し、前記受信処理を施す入力手段と前記アンテナとの間の受信経路で生じる歪みを補償するための受信経路用パラメータに基づいて、前記歪補償処理の内容を設定することを特徴とする受信方法。
【０１３４】
（付記１１）コンピュータに、入力信号に歪補償処理を施す送信時歪補償処理と、前記送信時歪補償処理によって前記歪補償処理が施された信号に送信用処理を施して、受信機と共用するアンテナに入力するための送信用信号を出力する出力処理と、前記送信用信号の出力端と前記アンテナとの間の送信経路で生じる歪みを補償するための送信経路用パラメータに基づいて、前記送信時歪補償処理の内容を設定する送信側設定処理とを実行させるためのことを特徴とする送信用プログラム。
【０１３５】
（付記１２）コンピュータに、送信機と共用するアンテナを介して受信信号が入力され、前記受信信号に受信処理を施す入力処理と、前記受信処理が施された信号に歪補償処理を施す受信時歪補償処理と、前記受信信号が入力される入力手段と前記アンテナとの間の受信経路で生じる歪みを補償するための受信経路用パラメータに基づいて、前記受信時歪補償処理の内容を設定する受信側設定処理とを実行させるための受信用プログラム。
【符号の説明】
【０１３６】
１０    送信機
１１    送信時歪補償部
１３    送信側記憶部
１４    送信側設定部
２０    受信機
２１    入力部
２２    受信時歪補償部
２３    受信側記憶部
２４    受信側設定部
１００    送信部
１１０    送信用信号処理部
１１１、１２０、２０１、２１１、５１０−ａ、５１０−ｂ、５１０−ｃ、５１０−ｄ    帯域通過フィルタ
１１２、１３２、２０５    Ａ−Ｄコンバータ
１１３    送信用等化器
１１４、２０８    記憶部
１１５    送信用等化パラメータ演算部
１１６    変調器
１１７、２１０    Ｄ−Ａコンバータ
１１８、２０４    周波数変換器
１１９、２０２    電力増幅器
１３０    フィードバック用信号処理部
１３１、２０４    周波数変換器
１３３、２０６    復調器
１４０、２０３    発振信号供給部
２００    受信部
２０７    受信用等化器
２０９    受信用等化パラメータ演算部
３００、４００    送受信機
３００ａ、４００ａ    送受信端
５００    入出力部
５００ａ    アンテナ接続端
５２０−ａ、５２０−ｂ、５２０−ｃ    サーキュレータ
６００    アンテナ
【図１】
2017228835.tif 000003
【図２】
2017228835.tif 000004
【図３】
2017228835.tif 000005
【図４】
2017228835.tif 000006
【図５】
2017228835.tif 000007
【図６】
2017228835.tif 000008
【図７】
2017228835.tif 000009
【図８Ａ】
2017228835.tif 000010
【図８Ｂ】
2017228835.tif 000011
【図８Ｃ】
2017228835.tif 000012